(57)【要約】      （修正有）【課題】化粧料塗布具収納コンパクトケースを提供する。【解決手段】コンパクトケースと化粧料塗布具が一体になった形状を有し、左右方向に隔壁を設けて前室及び後室を形成すると共に、隔壁前部中央に係合突起を付設し、且つ前室前壁に切欠き部を設けた容器本体と、前期容器本体の前室に収納され、両端又は一端に化粧料を塗布するための用具を有し、中央部に上記切欠き部より押込み可能である押込みボタン状の操作部を有した板バネ状の形状をした化粧料塗布具からなり、上記板バネ状化粧塗布具の中央ボタン状操作部を容器本体に対して後方へ押込んだときに、上記化粧料塗布具の中央部が撓み、当該化粧料塗布具の中央部が頂壁前部を押上げ、上記係合突起と係止片の係合を離脱可能とする。上記容器本体前室内に設置する化粧料塗布具の形状を板バネ状とし、その中央部にボタン状の操作部を設けることを特徴としたコンパクトケース。【選択図】図３
2005160633.tif 000002
【特許請求の範囲】
【請求項１】
左右方向に隔壁を設けて前室及び後室を形成すると共に、隔壁前部中央に係合突起を付設し、且つ前室前壁に切欠き部を設けた容器本体と、該容器後面に後部を枢着し、容器本体上面開口を開閉可能とすると共に、上記係合突起に係合させて頂壁から係止片を垂下した蓋体と、前期容器本体の前室に収納され、両端又は一端に化粧料を塗布するための用具を有し、中央部に上部切欠き部より押込み可能である押込みボタン状の操作部を有した板バネ状の形状をした化粧塗布具からなり、上記板バネ状化粧塗布具の中央ボタン状操作部を容器本体に対して後方へ押込んだときに、上記化粧料塗布具の中央部が撓み、当該化粧料塗布具の中央部が頂壁前部を押上げ、上記係合突起と係止片の係合を離脱可能とする、上記容器本体前室内に板バネ状化粧料塗布具を配置したことを特徴とする化粧料コンパクトケース。
【発明の詳細な説明】
【技術分野】
【０００１】
本発明は、化粧用コンパクトケースに関する。更に詳しくは、化粧料塗布具の形状が板バネ状であり、当該化粧料塗布具を操作することによりコンパクトケースの開閉が可能となる化粧料塗布具一体型コンパクトケースに関する。
【背景技術】
【０００２】
アイブロウやリップカラーといった化粧料のコンパクトケースには、化粧料を塗布するためのブラシやチップ等の塗布具がコンパクトケース内に収納されているものが広く利用されている。近年、この様なコンパクトケースは、携帯が容易等の理由により、コンパクトケースの主流となっている。また、最近では、携帯時等の振動によるコンパクトケース内部の汚れを防止するため、ブラシやチップ等の塗布具がコンパクトケースの一部にしっかりと固定されたタイプのコンパクトケースや、収納する化粧料の塗布具がコンパクトケースの構成部品例えばフックピースの機能を併せ持つタイプのコンパクトケースも見られるようになった。
【０００３】
【特許文献１】特許第３０７６７５８号公報
【特許文献２】実用新案平成１年１７５７０６号公報
【発明の開示】
【発明が解決しようとする課題】
【０００４】
しかしながら、上記のような化粧料塗布具収納コンパクトケースにあっては、コンパクトケース内に化粧料塗布具を収納するスペースを設ける必要があり、コンパクトケースが大きくなり携帯する場合に嵩張るという問題点や、化粧料塗布具が携帯中に振動し、化粧料塗布具に付着した化粧料がコンパクトケース内で飛散し、コンパクトケース内を汚すという問題点、また、化粧料塗布具がコンパクトケースの一部にしっかりと固定されたタイプのコンパクトケースにおいては、化粧料を塗布する際に、化粧料塗布具の着脱が困難であるという問題点がそれぞれ存在し、これらの問題点を解決し、携帯し易く、コンパクトケース内が汚れにくく、化粧料が塗布し易い化粧料塗布具収納コンパクトケースの提供が本発明の課題である。
【課題を解決するための手段】
【０００５】
本発明は、発明者が上記問題点に着目し鋭意研究した結果、化粧料塗布具収納コンパクトケースにおいて、コンパクトケースと化粧料塗布具が一体になった形状を有し、左右方向に隔壁を設けて前室及び後室を形成すると共に、隔壁前部中央に係合突起を付設し、且つ前室前壁に切欠き部を設けた容器本体と、該容器後面に後部を枢着し、容器本体上面開口を開閉可能とすると共に、上記係合突起に係合させて頂壁から係止片を垂下した蓋体と、前期容器本体の前室に収納され、両端又は一端に化粧料を塗布するための用具を有し、中央部に上記切欠き部より押込み可能である押込みボタン状の操作部を有した板バネ状の形状をした化粧料塗布具からなり、上記板バネ状化粧塗布具の中央ボタン状操作部を容器本体に対して後方へ押込んだときに、上記化粧料塗布具の中央部が撓み、当該化粧料塗布具の中央部が頂壁前部を押上げ、上記係合突起と係止片の係合を離脱可能とする。上記容器本体前室内に設置する化粧料塗布具の形状を板バネ状とし、その中央部にボタン状の操作部を設けることにより、上記問題点であるコンパクトケースの携帯中に、化粧料塗布具の先端に付着した化粧料が振動等により飛散し、コンパクトケース内部を汚すこと防止するとともにコンパクトケースの開閉及び化粧料塗布具の着脱操作を容易にする。
【発明の効果】
【０００６】
本発明の化粧料塗布具収納コンパクトケースは、携帯時等によるコンパクトケース内部の汚れを防止することに加え、コンパクトケースのフック部と化粧料塗布具を一体化することでコンパクトケースの大きさを小型化し、携帯時の省スペース化をもたらし、ひいては携帯そのものがしやすくなる。また携帯性に加え、化粧料塗布具を取り出し易くすることをも可能とし、化粧料コンパクトケースとしての使用性を向上させるという効果がある。
【発明を実施するための最良の形態】
【０００７】
本発明のコンパクトケースは、上記目的をメーキャップ化粧料であるアイブロウ等を収納するコンパクトケースとして以下、説明するが、コンパクトケースに収納可能な化粧料であれば、口紅、アイシャドウ、ほほ紅等いずれの化粧料にも対応可能であり、化粧料を限定させるものではない。
【０００８】
尚、化粧料塗布具先端部は、当該化粧料に合致する所望の塗布具を設置することが可能である。
【実施例１】
【０００９】
図１は、本発明コンパクトケースの蓋を開いた状態で、化粧料塗布具を収納した状態を表した図。図２は、化粧料塗布具収納突起を設けた本発明コンパクトケースの蓋を開いた状態で、化粧料塗布具を収納した状態を表した図。図３は、化粧料塗布具収納突起を設けた本発明コンパクトケースの蓋を開いた状態で、化粧料塗布具を取り出した状態を示した説明図。図４は、本発明の化粧料塗布具を表した図。
【００１０】
本発明のコンパクトケースは、図１に示すとおり、コンパクトケース本体１に化粧料塗布具３が収納した場合は、コンパクトケース本体１前部の化粧料塗布具収納スペース前部の中央部の切り欠き部1ｂに、ボタン状操作部３ｂ−１がコンパクトケース本体の切り欠き部１ｂに収まるように設置し中央部にボタン状の操作部３ｂ−１を設けた板バネ状の化粧料塗布具３を収納する。この状態において、化粧料塗布具３はボタン操作部３ｂ−１がコンパクトケースの切り欠き部に1ｂに固定された状態にあり、板バネ状をした化粧料塗布具の枝部分３ｃの両端にあるチップ３ａ−１及びブラシ３ａ−２がコンパクトケース本体の内壁1ａを押圧した状態で密着している。
【００１１】
そして、当該コンパクトケースに収納している化粧料を使用する場合は、化粧料塗布具のボタン状操作部３ｂ−１をコンパクトケースの内側に押込み、コンパクトケース本体と蓋体との係合を解除し、コンパクトケースを開いた後、化粧料塗布具中央部の操作部３ｂ−１を指にて摘み出し、化粧料塗布具両端にあるチップ３ａ−１及びブラシ３ａ−２を用いて化粧料を塗布できる。そして、上記したようにコンパクトケース本体１前部の化粧料塗布具３収納スペース前部中央部に切り欠き部1ｂに、ボタン状操作部３ｂ−１がコンパクトケース本体の切り欠き部１ｂに収まるように設置し中央部にボタン状の操作部３ｂ−１を設けた板バネ状の化粧料塗布具３を収納することにより、化粧料塗布具はコンパクトケース内に固定され、携帯による振動等により設置が離脱し、自由にコンパクトケース内を動き回る事がない。この事により、チップ３ａ−１及びブラシ３ａ−２に付着した化粧料がコンパクトケース内に飛散し、汚すことも発生しない。
【００１２】
つまり、コンパクトケース本体内に化粧料塗布具３が板バネ状をした化粧料塗布具の枝部分３ｃの両端にあるチップ３ａ−１及びブラシ３ａ−２がコンパクトケース本体の内壁1ａを押圧した状態で固定されているため、化粧料塗布具のボタン操作部３ｂ−１を当該コンパクトケースの切り欠き部の内側に押込むことにより、ボタン操作部内側３ｂ−２により押圧された当該コンパクトケース本体1に設置してあるフック部係合突起４が撓みコンパクトケースの蓋体２の内側に存在するフック部係合突起５との係合を解除し、当該コンパクトケースが開くのである。この際、ボタン状操作部３ｂ−１が押圧された化粧料塗布具は、枝部分３ｃの両端にあるチップ３ａ−１及びブラシ３ａ−２により、コンパクトケース本体の内壁1ａを押圧した状態であるため、コンパクトケース本体内に固定され、コンパクトケース外に飛び出ることはない。
【００１３】
また、図２及び図３で示すように、コンパクトケース本体前部の化粧料塗布具収納スペースにコンパクトケース本体の内壁1ａから前方に化粧料塗布具収納突起部１ｃを設けることにより、化粧料塗布具先端部のチップ３ａ−１及びブラシ３ａ−２がコンパクトケース本体の内壁1ａに押圧されないため、チップ３ａ−１及びブラシ３ａ−２の耐久性及び化粧料塗布時の使用性が快適な状態に保たれる。
【産業上の利用可能性】
【００１４】
本発明は、携帯性に有能で化粧料及びそれを塗布する用具を収納するコンパクトケースに適用できる。
【図面の簡単な説明】
【００１５】
【図１】本発明コンパクトケースの蓋を開いた状態で、化粧料塗布具を収納した状態を示した説明図。
【００１６】
【図２】化粧料塗布具収納突起部を設けた本発明コンパクトケースの蓋を開いた状態で、化粧料塗布具を収納した状態を示した説明図。
【００１７】
【図３】化粧料塗布具収納突起部を設けた本発明コンパクトケースの蓋を開いた状態で、化粧料塗布具を取り出した状態を示した説明図。
【００１８】
【図４】本発明コンパクトケースに収納する化粧料塗布具を拡大した説明図。
【符号の説明】
【００１９】
１          コンパクトケース本体
１ａ        コンパクトケース本体の内壁
１ｂ        コンパクトケース本体の切り欠き部
１ｃ        化粧料塗布具収納突起部
２          蓋体
３          化粧料塗布具
３ａ−１    チップ
３ａ−２    ブラシ
３ｂ−１    ボタン状操作部
３ｂ−２    ボタン状操作部の内側
４          コンパクトケースに設置してあるフック部係合突起
５          蓋体内側に設置してあるフック部係合突起
【図１】
2005160633.tif 000003
【図２】
2005160633.tif 000004
【図３】
2005160633.tif 000005
【図４】
2005160633.tif 000006